(57)【要約】【課題】上面にマス目が仕切りによって形成されたパズル盤と、該マス目に内嵌可能な矩形板状をなし、両面に数字が印された数字駒とを備えるナンバープレース用のパズル用具にあって、マス目から数字駒を容易に取り外しできるようにする。【解決手段】パズル盤の各マス目１０の底部に、数字駒５をパズル盤と平行に保持するための平行保持部２０と、各マス目１０の側縁部に位置し、該平行保持部２０の高さよりも低い取外用凹部２１とを形成する。かかる構成によれば、前記マス目１０の平行保持部２０上に保持された数字駒５の側縁部を取外用凹部２１の上から指で押し下げることで、該数字駒５の反対側の側縁部をマス目１０から押し上げることができるから、マス目１０に嵌めた数字駒５を簡単に摘み取ることが可能となる。【選択図】図１０
2012100739.tif 000002
【特許請求の範囲】
【請求項１】
ナンバープレースの解答に用いるパズル用具であって、
上面に縦９マス、横９マスのマス目が仕切りによって形成されたパズル盤と、
前記各マス目に内嵌可能な矩形板状をなし、両面に数字が印された数字駒と、
前記パズル盤に被さる蓋部材と、
前記数字駒を収容する収納ケースとを備え、
前記パズル盤の各マス目の底部には、マス目に嵌めた数字駒をパズル盤と平行に保持するための平行保持部と、各マス目の側縁部に形成される、該平行保持部の高さよりも低い取外用凹部が形成されており、
前記マス目の平行保持部上に保持された数字駒の側縁部を前記取外用凹部の上から指で押し下げることで、該数字駒の反対側の側縁部をマス目から押し上げ可能であることを特徴とするパズル用具。
【請求項２】
前記取外用凹部は、マス目の少なくとも一辺の側縁に沿って、該一辺の全長に亘って形成された凹溝形状をなしていることを特徴とする請求項１記載のパズル用具。
【請求項３】
前記収納ケースは、浅底皿状をなし、前記パズル盤の底部に脱着可能に保持されることを特徴とする請求項１又は請求項２に記載のパズル用具。
【請求項４】
前記パズル盤の底部に、前記収納ケースをパズル盤に対してスライド可能に、かつ脱着可能に保持するケースガイドを備えることを特徴とする請求項３記載のパズル用具。
【請求項５】
前記蓋部材は透明樹脂よりなり、該パズル盤に被せることで、該パズル盤の各マス目に嵌めた数字駒がマス目から脱落不能に保持されることを特徴とする請求項１乃至請求項４のいずれか１項に記載のパズル用具。
【発明の詳細な説明】
【技術分野】
【０００１】
本発明は、パズルの一種であるナンバープレースを解くのに使用するパズル用具に関する。
【背景技術】
【０００２】
パズルの一種であるナンバープレースでは、一部のマス目が数字で埋めれらた９×９マスの枠が出題される。そして、解答者は、縦横の各列と、３×３のマス目からなる９つのブロックの中で数字が重複しないようにして、空白のマス目を１〜９までの数字で埋めていき、全てのマス目を矛盾なく埋めることができるとパズルが完成する。
【０００３】
ナンバープレースの問題は、新聞や雑誌などに掲載されており、多くの場合、紙面に直接数字を書き込むことで解答される。しかしながら、紙面に直接数字を書き込むと、間違いが判明するたびに、書き込んだ数字を消しゴム等で消さなくてはならず、手間がかかるとともに、紙が破損してしまうことがある。また、消しゴムで消しても、書き込んだ痕跡が残ってしまうため、同じパズルを繰返し楽しむことができない。
【０００４】
こうした不具合を解決するために、パズルの枠に相当する縦９マス、横９マスのマス目が形成されたパズル盤と、１〜９の数字のいずれかが印された数字駒を備えたパズル用具が提案されている（例えば、特許文献１，２）。かかるパズル用具では、紙面のマス目に数字を記入する代わりに、数字駒をパズル盤のマス目に嵌めていく。ここで、数字駒には両面に同じ数字が色や模様を違いで印されており、解答前に嵌める駒と、解答時に嵌める駒とを表裏逆にすることによって、問題用の数字を明瞭に区別できるようにしている。かかるパズル用具では、数字駒を誤って設置しても痕跡を残さずに訂正でき、また、複数人が同じパズルを繰返し行うことができる。
【先行技術文献】
【特許文献】
【０００５】
【特許文献１】実用新案登録第３１５３４６９号公報
【特許文献２】特許第４４８５４９７号公報
【発明の概要】
【発明が解決しようとする課題】
【０００６】
ところで、ナンバープレースは、外出時の空き時間に行われることが多い。このため、上述のパズル用具には、持ち運びに適した大きさが求められる。しかしながら、パズル用具を小さくすると、数字駒が小さくなり、パズル盤のマス目に嵌めた数字駒を取り外し難くなる。例えば、上記特許文献１に記載のパズル用具では、当該文献に記載されているように、ピンセットを使用して数字駒を出し入れすることが好ましいとされている。しかしながら、数字駒をピンセットで出し入れするのは神経を使う作業であり、外出先で行うには不適である。
【０００７】
一方、上記特許文献２に記載のパズル用具では、矩形板状の数字駒の一面側にツマミ用ピンを突設している。また、パズル盤にはツマミ用ピンを挿入可能なピン孔を形成することで、数字駒を裏返し状態でも設置可能にしている。しかしながら、かかる構成では、ツマミ用ピンを上向きに設置した数字駒を取り外すのは便利であるが、ピンを下向きに設置した数字駒は、ツマミ用ピンを摘まずに取り外さなくてはならず取外しが面倒である。また、かかる構成では、数字駒の表面にツマミ用ピンが突出しているため見栄えが悪い。また、解答途中の状態では、数字駒のツマミ用ピンがパズル盤の上方に突出しているため、解答途中の状態で蓋をして持ち運ぶことができず、携帯するのに適していない。
【０００８】
本発明は、かかる問題の解決を試みたものであり、パズル盤のマス目に嵌めた数字駒の取外しが容易なパズル用具の提供を目的とする。
【課題を解決するための手段】
【０００９】
本発明は、ナンバープレースの解答に用いるパズル用具であって、上面に縦９マス、横９マスのマス目が仕切りによって形成されたパズル盤と、前記各マス目に内嵌可能な矩形板状をなし、両面に数字が印された数字駒と、前記パズル盤に被さる蓋部材と、前記数字駒を収容する収納ケースとを備え、前記パズル盤の各マス目の底部には、マス目に嵌めた数字駒をパズル盤と平行に保持するための平行保持部と、各マス目の側縁部に形成される、該平行保持部の高さよりも低い取外用凹部が形成されており、前記マス目の平行保持部上に保持された数字駒の側縁部を前記取外用凹部の上から指で押し下げることで、該数字駒の反対側の側縁部をマス目から押し上げ可能であることを特徴とするパズル用具である。
【００１０】
かかる構成にあっては、パズル盤のマス目に対して、数字駒をどちらの面を上向きに嵌めた場合でも、該数字駒の側縁部を指先で押圧するだけで、該数字駒を指で簡単に摘み取ることができる。また、数字駒は、矩形板状をなし、ツマミは設けられていないから、数字駒をパズル盤に並べた状態でも蓋部材を被せることができ、解答途中の状態でも持ち運ぶことができる。また、数字駒の両面の美観がツマミによって損なわれることもない。
【００１１】
本発明にあって、前記取外用凹部は、マス目の少なくとも一辺の側縁に沿って、該一辺の全長に亘って形成された凹溝形状をなしていることが提案される。かかる構成にあっては、マス目に対して取外用凹部を幅広に形成できるため、マス目や数字駒が小さくても、取外用凹部の上から数字駒を指先で押し下げ易くなる。
【００１２】
また、本発明にあって、前記収納ケースは、浅底皿状をなし、前記パズル盤の底部に脱着可能に保持される構成が提案される。かかる構成にあっては、パズル盤と収納ケースとを一体的にして持ち運ぶことができ、携帯に適したパズル用具を実現できる。
【００１３】
また、上記構成にあって、さらに、前記パズル盤の底部に、前記収納ケースをパズル盤に対してスライド可能に、かつ脱着可能に保持するケースガイドを備えることが提案される。かかる構成にあっては、収納ケースをパズル盤から分離させずに部分的にスライドさせれば、収納ケースの置き場所がない状況下でも、パズル盤と収納ケースとを片手で把持してパズルを楽しむことができる。また、収納ケースの置き場所がある場合は、収納ケースをパズル盤から外して、余裕をもってパズルを楽しむことができる。
【００１４】
また、本発明にあって、前記蓋部材は透明樹脂よりなり、該パズル盤に被せることで、該パズル盤の各マス目に嵌めた数字駒がマス目から脱落不能に保持される構成が提案される。かかる構成にあっては、蓋部材を被せることで解答途中の状態を保持したまま持ち運ぶことができ、また、蓋部材を被せたまま、パズル盤を眺めてマス目に埋めるべき数字を考えることができる。したがって、かかる構成とすれば、断片的な空き時間を利用してパズルを効率よく楽しむことができる。
【発明の効果】
【００１５】
以上に述べたように、本発明のパズル用具は、パズル盤のマス目に嵌めた数字駒の取外しを容易に行うことができる。また、数字駒の表裏にはツマミが存在しないため、数字駒の美観を保つことができる。さらには、パズル盤に数字駒を並べた状態でも蓋部材を容易に被せることができ、持ち運びに適する。
【図面の簡単な説明】
【００１６】
【図１】実施例のパズル用具１の正面側斜視図である。
【図２】実施例のパズル用具１の背面側斜視図である。
【図３】実施例のパズル用具１の分解斜視図である。
【図４】実施例のパズル用具１を左右方向に縦断して示す中央縦断側面図である。
【図５】パズル盤２を正面上方から見た斜視図である。
【図６】図５を拡大して示す斜視図である。
【図７】パズル盤２を正面下方から見た斜視図である。
【図８】数字駒５を収容した状態の収納ケース４の斜視図である。
【図９】（ａ）は、数字駒５の一面側の斜視図であり、（ｂ）は、数字駒５の他面側の斜視図である。
【図１０】（ａ）は、パズル盤２のマス目１０に数字駒５を嵌めた状態を示す説明図であり、（ｂ）は、マス目１０に嵌めた数字駒５を取り外す操作を示した説明図である。
【図１１】パズル用具１の使用状態を示す説明図である。
【図１２】パズル用具１の携帯状態を示す説明図である。
【図１３】パズル用具１の別の使用状態を示す説明図である。
【図１４】平行保持部２０と取外用凹部２１の変形例を示す説明図である。
【発明を実施するための形態】
【００１７】
本発明の実施形態を、以下の実施例に従って説明する。
【００１８】
本実施例のパズル用具１は、図１〜４に示すように、上方に開放する８１マスのマス目１０が形成された略正方形板状のパズル盤２と、該パズル盤２に被さる透明な蓋部材３と、数字駒５を収容し、パズル盤２の底部に取り付けられる収納ケース４とによって構成される。
【００１９】
パズル盤２は、図５〜７に示すように、マス目１０を形成する盤本体７と、該盤本体７の底部に固着されて、収納ケース４をスライド可能に保持するケースガイド８とで構成される。
【００２０】
盤本体７は、図５〜７に示すように、正方形状の底板９の上面に、側壁１２と仕切り１１ａ，１１ｂを立設することにより、上方に開放する縦９マス、横９マスの計８１マスのマス目１０を形成してなるものである。盤本体７のマス目は、ナンバープレースのマス目に相当するものであり、８１マスのマス目１０は、仕切り１１ａと側壁１２によって、３×３のマス目からなる９つのブロックに区画される。ブロックを区画する仕切り１１ａは、側壁１２と同じ高さに形成されており、その上端部は、側壁１２と同じ色で着色されてブロックの境界であることを明示している。一方、各ブロックの内部を仕切る仕切り１１ｂは、側壁１２よりも若干低く形成される。
【００２１】
ケースガイド８は、図７に示すように、正面側に開放する、底面視コ字状をなす枠体であり、盤本体７の底板９の底面に一体的に固着される。このケースガイド８の両側の内側面には、収納ケース４の側縁をスライド可能に保持するための前後方向の摺動溝１３，１３が形成される。
【００２２】
収納ケース４は、図８に示すように、パズル盤２よりも若干小さい、浅底の正方形皿状をなすものである。この収納ケース４の内部は、井字状に設けられた仕切り１５によって９つの収納室１６に区画されており、後述するように、１〜９の数字が印された９種類の数字駒５を種類別に収納し得るようになっている。この収納ケース４の左右の外側面には、前後方向の摺動突部１７，１７が形成されており、図３に示すように、該摺動突部１７を、前記ケースガイド８の摺動溝１３と嵌合させるようにして、収納ケース４をケースガイド８の内部に挿入することで、収納ケース４は、パズル盤２の底部に対してスライド可能に、かつ脱着可能に組み付けられる。
【００２３】
数字駒５は、図９（ａ），９（ｂ）に示すように、略正方形板状をなすものであり、その両面には、同じ数字の数字標記１８ａ，１８ｂが、一面側は黒色で、他面側は赤色で印されている。
本実施例のパズル用具１には、表裏に１〜９の数字が印された９種類の数字駒５が９枚ずつ、合計８１枚が具備されている。この数字駒５は、パズル盤２のマス目１０の縦横寸法よりも若干小さく設計されており、両面に印された色違いの数字標記１８ａ，１８ｂのいずれかを上向きにした状態で、任意のマス目１０に嵌合させ得るようになっている。
【００２４】
蓋部材３は、図３に示すように、透明樹脂部材からなるものであり、パズル盤２上に略隙間なく外嵌し得る形状をなしている。この蓋部材３は、図４に示すように、パズル盤２に被せた状態で、その内底面がパズル盤２の仕切り１１ａ，１１ｂの上端と近接するようになっており、パズル盤２のマス目１０に数字駒５を嵌めた状態で蓋部材３を被せると、マス目１０の数字駒５が蓋部材３に保持されて、マス目１０から脱落不能となるとともに、マス目１０内で反転・回転不能となる。
【００２５】
ここで、透明樹脂からなる蓋部材３を除けば、本実施例のパズル用具の各部品は、樹脂や金属、木材などの様々な材料で製造できる。また、パズル盤２のサイズは、一辺が１０〜１５ｃｍ、厚みが１〜２ｃｍ程度が好適である。
【００２６】
パズル盤２の各マス目１０の底部は、図４，６に示すように、マス目１０の中央部を縦断するように形成された平行保持部２０と、マス目１０の左右の側縁部に形成された、平行保持部２０の高さよりも低い凹溝状の取外用凹部２１，２１とで構成されている。
【００２７】
平行保持部２０は、図６に示すように、平面視において、縦幅がマス目１０と同じで、横幅がマス目１０の３分の１程度の縦長矩形状をなしている。平行保持部２０の上面は、パズル盤２の盤面と平行な平坦面となっており、マス目１０に嵌められた数字駒５は、その自重によって、平行保持部２０の上面に当接して、図１０（ａ）に示すように、パズル盤２と平行に保持される。平行保持部２０の上面から仕切り１１ａ，１１ｂまでの高さは、数字駒５の厚みより若干低くなっており、平行保持部２０の上に保持された数字駒５は、仕切り１１ａ，１１ｂで囲まれたマス目１０の上にわずかに突出するよう構成される。
【００２８】
一方、取外用凹部２１，２１は、図６に示すように、マス目１０の３分の１程度の横幅を有し、マス目１０の左右の辺縁に対して全長に亘って沿うように形成された凹溝である。この取外用凹部２１は、平行保持部２０よりも数字駒５の厚みの半分程度低く形成されており、平行保持部２０上に保持された数字駒５を、取外用凹部２１の上から指で押し下げると、図１０（ｂ）に示すように、平行保持部２０の側縁部を基点として数字駒５が回動し、押圧された側縁部が取外用凹部２１に押し込まれ、これとともに、反対側の側縁部がマス目１０の上方に突き出ることとなる。このように側縁部がマス目１０から突き出た数字駒５は、該数字駒５を押し下げた指と、他の指と（例えば人差し指と親指）で簡単に摘み取ることができる。
【００２９】
このように、本実施例にあっては、マス目１０に嵌めた数字駒５は、どちらの面を上向きにした場合でも、指先で簡単に摘み取ることができ、従来構成のパズル用具に比べて、数字駒５の取外しが容易である。また、数字駒５は、扁平な矩形板状をなしており、ツマミなどが形成されていないため、ツマミに邪魔されることなく、両面に印された数字標記１８ａ，１８ｂを明瞭に読み取ることができる。
【００３０】
次に、パズル用具１の使用方法について説明する。
パズル用具１を使用する際には、図１に示す状態から、蓋部材３を外し、収納ケース４をパズル盤２の底部から手前側にスライドさせてパズル盤２から分離させる。なお、外した蓋部材３は、パズル盤２の底部に嵌合させておくことができる。
【００３１】
次に、収納ケース４から所要の数字駒５を摘み取り、紙面等に記載された問題通りに、数字駒５をパズル盤２に嵌めていく。そして、数字駒５を問題通りに配置したら、残された空白のマス目１０に残りの数字駒５を嵌めていき、全てのマス目１０に矛盾なく数字駒５を嵌め込むことができればパズルが完成となる。この時、図１１に示すように、問題として設置する数字駒５を、黒色の数字標記１８ａを上にして嵌め込み、解答として設置する数字駒５を、赤色の数字標記１８ｂを上にして嵌め込むことで、問題用の数字と、解答用の数字を明瞭に識別可能となる。また、パズルの解答中に、数字駒５を誤って嵌め込んだ場合には、他の数字駒５を動かさずに、当該数字駒５のみを取り除く必要が生じるが、上述のように、本実施例では、かかる作業を極めて簡単に行うことができる。
【００３２】
パズルを解答途中で中断する場合には、パズル盤２に数字駒５を配置したまま収納ケース４をパズル盤２の底部に装着し、蓋部材３をパズル盤２の上に被せればよい。かかる状態では、図１２に示すように、パズル用具１が一体となり、簡単に持ち運び可能となる。また、パズル盤２に配置された数字駒５は、蓋部材３によってマス目１０から脱落しないよう保持されるため、持ち運んだ後で蓋部材３を外せば解答を中断した状態からパズルを再開できる。また、蓋部材３は透明であり、図１２に示すように、パズル盤２に被せた状態でもパズル盤２の盤面を目視できるから、蓋部材３を被せたままパズル盤２を眺めて、次に嵌め込むべき数字駒５について考えを巡らすこともできる。
【００３３】
また、本実施例にあっては、収納ケース４がパズル盤２の底部にスライド可能に組み付けられているため、図１３に示すように、収納ケース４をパズル盤２から分離せずに、パズル盤２から部分的に引き出した状態で使用することもできる。図１３のような状態であれば、パズル盤２と収納ケース４の両方を片手で把持し、他方の手で数字駒５の出し入れを行うことができるから、パズル用具１を置く場所のない状況でも、本実施例のパズル用具１を使用してパズルを楽しむことができる。
【００３４】
なお、本発明におけるパズル用具１は、上記実施例の形態に限らず本発明の要旨を逸脱しない範囲内において種々変更を加えることができる。例えば、図１４（ａ），１４（ｂ）は、マス目１０の底部に形成する平行保持部２０と取外用凹部２１の変形例を示したものである。図１４では、マス目１０内のスミ塗り部分が平行保持部２０を示し、斜線部分が取外用凹部２１を示している。すなわち、図１４（ａ）に示す変形例は、マス目１０の中央部から後部に平行保持部２０を形成し、マス目１０の前側の辺縁に沿うようにして凹溝状の取外用凹部２１を形成したものである。かかる変形例では、数字駒の前側の側縁部を押し下げることで、数字駒を取外し可能となる。このように、取外用凹部２１は、マス目１０の左右両側に設ける必要はなく、前側や後側にも形成可能であり、また、一側縁にのみ形成してもかまわない。また、図１４（ｂ）の変形例は、取外用凹部２１をマス目１０の角部に形成したものである。かかる変形例では、数字駒の右前部又は左後部を押し下げることで、数字駒を取外し可能となる。このように、取外用凹部２１は、マス目１０の角部に形成してもかまわない。ただし、取外用凹部２１をマス目１０の角部に形成する場合には、図１４（ａ）の場合と比べて取外用凹部２１の幅が狭くなり、数字駒を指先で押し下げ難くなるため、取外用凹部２１は、マス目１０の縦辺や横辺の側縁に沿った凹溝状とすることが望ましい。また、本発明に係る平行保持部は、数字駒をパネル盤と平行に保持可能な形態であればよく、その上面は平坦形状に限られず、数字駒を傾かせない範囲内で凹凸形状を採用することが可能である。
【符号の説明】
【００３５】
１  パズル用具
２  パズル盤
３  蓋部材
４  収納ケース
５  数字駒
７  盤本体
８  ケースガイド
１０  マス目
１１ａ，１１ｂ  仕切り
１２  側壁
１３  摺動溝
１７  摺動突部
１８ａ，１８ｂ  数字標記
２０  平行保持部
２１  取外用凹部
【図１】
2012100739.tif 000003
【図２】
2012100739.tif 000004
【図３】
2012100739.tif 000005
【図４】
2012100739.tif 000006
【図５】
2012100739.tif 000007
【図６】
2012100739.tif 000008
【図７】
2012100739.tif 000009
【図８】
2012100739.tif 000010
【図９】
2012100739.tif 000011
【図１０】
2012100739.tif 000012
【図１１】
2012100739.tif 000013
【図１２】
2012100739.tif 000014
【図１３】
2012100739.tif 000015
【図１４】
2012100739.tif 000016